(57)【特許請求の範囲】
【請求項１】
布地により内部に枕を収納する枕収納部が形成された枕カバー本体と、この枕カバー本体内に枕を収納した状態で吊下げるフック又は物干し竿に掛止される掛止部又は掛止部材と、を備え、
上記枕カバー本体の枕収納部の外側には、上記布地が２枚重ね合わせられた重ね合わせ部が形成され、
上記掛止部又は掛止部材は、上記重ね合せ部内に配置されてなることを特徴とする枕カバー。
【請求項２】
前記掛止部材は、枕を前記枕収納部内に収納した状態で前記フック又は物干し竿に掛止する際に先端が外部に露出し不使用時には前記重ね合わせ部内に隠れるよう該重ね合わせ部内を移動可能に配置されてなることを特徴とする請求項１記載の枕カバー。
【請求項３】
前記重ね合わせ部内には、左リング部と右リング部とが前記枕収納部に近い位置にて互いに離間して固定され、前記掛止部材は、紐状とされてなるともに一端側は上記左リング部内に挿通され他端側は上記右リング部内に挿通されてなるとともに、該掛止部材の両端には上記左リング部又は右リング部からの抜け止め用の抜止部が形成されてなることを特徴とする請求項１又は２記載の枕カバー。
【請求項４】
布地により内部に枕を収納する枕収納部が形成された枕カバー本体と、この枕カバー本体内に枕を収納した状態で吊下げるフック又は物干し竿に掛止される掛止部と、を備え、
上記枕収納部には、枕を出し入れする収納口が、該枕収納部を形成する布地が一部重ね合わせられた状態で形成され、上記掛止部は、この重ね合わせられた内側の布地であって外側の布地により被覆される部位に形成されてなることを特徴とする枕カバー。
【発明の詳細な説明】
【技術分野】
【０００１】
本発明は、内部に枕を収納する枕カバーに関し、特に、枕を収納した上で乾燥等のためにフックや物干し竿に吊るすことができる枕カバーに関するものである。
【背景技術】
【０００２】
これまで枕は、汚れの付着を防止するとともに付着した汚れを容易に洗濯することができるように、枕カバーとともに使用されている。この使用されている枕カバーには幾つもの種類があり、一枚の布を用いるもので枕の外周に巻きつけられるものや、筒状或いは袋状とされて枕を内部に収納するもの等がある。特に、袋状とされた枕カバーは、枕を内部に収納可能な大きさの袋状に形成された枕カバー本体を備えており、また、枕カバーの端部又は一面の中途部には、この枕カバーの内部に枕を出し入れする収納口が形成されている。なお、枕カバーの端部（左右両側）には装飾のためにフリル状の布片からなる飾り部が取り付けられていることが多い。また、枕を干す際には、枕を枕カバーから取り出した上でこの枕自体を直接日光に当てて干すこともあるが、袋状とされた枕カバーの内部に枕を収納したまま日光に当てて干すこともある。そして、このように枕を収納した状態で枕カバーを干す場合には、例えば、適当な台等の上に載置するのが一般的であるが、こうした方法では、載置面には通風や日当たりがないので乾燥効果が悪い。そこで、枕を収納した状態で枕カバーの一端を物干し竿に吊下げてピンチ（洗濯バサミ）で挟んで止める場合がある。しかしながら、このように枕を入れた枕カバーを、ピンチを使って止める方法では、風によりピンチが取れてしまい枕を収納した枕カバーが落下するといった問題が有った。このため、枕カバーに穴を設け、この穴にＳ型フック等を掛止し、さらにこのＳ型フックを物干し竿に掛けることにより枕を収納した枕カバーを干すことができるようにした枕カバーが提案されている（特許文献１参照）。また他にも、枕カバーに紐を取り付けて、この紐を物干し竿に掛けることで枕を入れた枕カバーを干すことができるという枕カバーも提案されている（特許文献２参照）。
【特許文献１】特開平８−４７４４４号公報
【特許文献２】実用新案登録第３１２３９２４号公報
【発明の開示】
【発明が解決しようとする課題】
【０００３】
しかしながら、このように枕カバーに穴や紐が外部に露出した状態で設けた場合には、この穴や紐は枕を収納した枕カバーを干す際にのみ用いるものであって、この枕カバーの本来の用途である使用者の睡眠には何ら関係するものでないことから、この枕カバーの美観を損なうものとなっている。また、枕カバーに穴を設け、この枕カバーの穴にＳ型フック等を掛けて枕を収納した枕カバーを吊下げる場合、この穴の内周には該Ｓ型フックが当接して枕カバーと枕の重量が掛かるために該穴の内周から破れやすくなったりほつれやすくなるため、この穴の内周にはこのような破れやほつれを防ぐための加工を施す必要がある。具体的には、この枕カバーの穴からほつれることを防ぐために、この穴の部分に金属製のハトメを嵌める等の加工をする必要がある。しかしながら、このようなハトメを嵌める等の加工をした場合、この枕カバー及び枕を用いて使用者が睡眠する際には、該枕カバーの穴の部分や該ハトメ等が使用者の頭部に直接当接することがあり、このような場合には使用者が違和感を覚えるために使用者が熟睡を妨げられるという問題が有る。同様に、枕カバーに紐を取り付け、この枕カバーの紐を用いて枕を入れた枕カバーを吊下げる場合にも、この枕カバー及び枕を用いて使用者が睡眠する際には、該紐が使用者の頭部に直接当接することがあり、このような場合には使用者が違和感を覚えるために使用者が熟睡を妨げられるという問題が有る。
【０００４】
そこで、本発明は、枕を内部に収納した状態で容易に干すことが可能で、しかも枕カバーの美観を損なう事が無く、また、使用者の熟睡を妨げるおそれの無い新規な枕カバーを提供することを目的とする。
【課題を解決するための手段】
【０００５】
上述した目的を達成するため、第１の発明（請求項１記載の発明）に係る枕カバーは、布地により内部に枕を収納する枕収納部が形成された枕カバー本体と、この枕カバー本体内に枕を収納した状態で吊下げるフック又は物干し竿に掛止される掛止部又は掛止部材と、を備え、上記枕カバー本体の枕収納部の外側には、上記布地が２枚重ね合わせられた重ね合わせ部が形成され、上記掛止部又は掛止部材は、上記重ね合せ部内に配置されてなることを特徴とするものである。
【０００６】
この第１の発明の枕カバーは、枕カバー本体と、掛止部又は掛止部材とを備えており、この枕カバー本体の外側には、布地が２枚重ね合わせられた重ね合わせ部を備え、掛止部又は掛止部材は、該重ね合わせ部内に配置されてなる。枕カバー本体は、内部に枕を収納する枕収納部が形成されているが、この枕収納部は例えば枕カバー本体を袋状としたものである。また、この重ね合わせ部は、一つの端部で上記枕カバー本体の外側に固定されており、また、掛止部又は掛止部材が該重ね合わせ部内に配置できるものであれば良い。また、この重ね合わせ部の端部は、該重ね合わせ部内の掛止部又は掛止部材への操作のために、少なくとも一つの端部が開口されておれば良いが、すべての端部（三方向の端部）が開口されていても良い。また、枕には装飾のためのフリルが形成されていることがあるが、この重ね合わせ部はこのフリルと兼ねるものであっても良い。また、この掛止部としては、具体的には、収納口の近傍に掛止穴を形成してその周囲を縁かがり又はハトメにより補強しても良く、掛止穴を設けた布片、アクリル板、プラスチック板等を用いても良く、フック状に成形されたアクリル板やプラスチック板を用いても良い。また、この掛止部材としては、アクリル板やプラスチック板や紐状の部材を用いても良い。そして、この掛止部として掛止穴を形成した場合や、掛止穴を設けた布片、アクリル板、プラスチック板等を用いる場合には、該掛止穴内にフックを掛ける等により物干し竿にこの枕を入れた枕カバーを掛けて容易に干すことができる。また、上記掛止部材として紐状の部材を用いる場合でも、この紐状の部材にＳ型フックを掛けることにより物干し竿にこの枕カバーを掛けることができ、或いは、該紐状の部材を直接物干し竿に掛けることにより容易に該枕カバー及び枕を干すことができる。また、この掛止部材として紐状の部材を用いる場合には、特にこれをゴム紐の様に弾性を持って伸縮するものとしても良く、この掛止部材を用いる場合には該掛止部材を伸張させ、使わない場合には重ね合わせ部内に収まるものとしても良い。
【０００７】
また、第２の発明（請求項２記載の発明）に係る枕カバーは、上記第１の発明において、前記掛止部材は、枕を前記枕収納部内に収納した状態で前記フック又は物干し竿に掛止する際に先端が外部に露出し不使用時には前記重ね合わせ部内に隠れるよう該重ね合わせ部内を移動可能に配置されてなることを特徴とするものである。
【０００８】
この第２の発明の枕カバーは、上記第１の発明の枕カバーと同様の枕カバー本体と掛止部材と重ね合わせ部とを備える。そして、この掛止部材は移動可能に重ね合わせ部内に配置されており、この掛止部材を使う場合、すなわち枕収納部内に枕を収納したこの枕カバーを干す場合には、該掛止部材を移動させて先端を該重ね合わせ部から外部に露出させ、この掛止部材を使わない場合、例えばこの枕カバーに枕を入れて使用者が睡眠時に使う場合には、該掛止部材を移動させて重ね合わせ部内に隠れるようにすることができる。具体的には、この掛止部材を上記重ね合わせ部から露出できる程度の長さを有するものとし、該掛止部材の一端を該重ね合わせ部内に取り付けることにより、該掛止部材の他端を該重ね合わせ部から露出させたり該重ね合わせ部内に隠したりすることができる。したがって、上記掛止部材を使用しない場合には、該掛止部材を重ね合わせ部内に隠すことができるので、この枕カバーの美観を損なうものでなく、また、使用者が睡眠時に違和感を覚えることなく熟睡を妨げるおそれが無いものとすることができる。
【０００９】
また、第３の発明（請求項３記載の発明）に係る枕カバーは、上記第１又は第２の発明において、前記重ね合わせ部内には、左リング部と右リング部とが前記枕収納部に近い位置にて互いに離間して固定され、前記掛止部材は、紐状とされてなるともに一端側は上記左リング部内に挿通され他端側は上記右リング部内に挿通されてなるとともに、該掛止部材の両端には上記左リング部又は右リング部からの抜け止め用の抜止部が形成されてなることを特徴とするものである。
【００１０】
この第３の発明の枕カバーは、上記第１の発明の枕カバーと同様の枕カバー本体と掛止部材と重ね合わせ部に加えて、左リング部と右リング部とを重ね合わせ部内に備えている。この左リング部と右リング部は上記重ね合わせ部内にて互いに離間して固定されている。また、この第３の発明では掛止部材が紐状とされているが、この掛止部材は、一端側が上記左リング部内を挿通し、他端側は上記右リング部内を挿通する。そして、この掛止部材の両端は抜け止め用の抜止部が形成されてなる。このため、上記掛止部材の中央を把持して引っ張ることにより、該掛止部材を上記重ね合わせ部内を移動させて外部に露出させることができるとともに、このように該掛止部材を移動させる場合には、該掛止部材の左端に形成された抜止部は左リング部の左側面に当接し、該掛止部材の右端に形成された抜止部は右リング部の右側面に当接することから、該掛止部材を上記重ね合わせ部から外部に露出するように移動させることは一定の範囲内に制限される。したがって、上記掛止部材を使用しない場合には、該掛止部材を重ね合わせ部内に隠すことができるので、この枕カバーの美観を損なうものでなく、また、使用者が睡眠時に違和感を覚えることなく熟睡を妨げるおそれが無いものとすることができる。なお、この左リング部及び右リング部は、上述のように掛止部材を移動できる範囲（上記重ね合わせ部から露出できる範囲）を制限できるように取り付けることができるのであればどのようなものであっても良く、例えば、該掛止部材が挿通可能な開口が形成されたプラスチック片や金属板であっても良く、或いは、紐状部材や金属棒（針金）を該掛止部材が挿通可能な内径（しかしながら抜止部は挿通不能な内径）の環状にしたものを用いても良い。また、左リング部及び右リング部として紐状部材を用いる場合には、該紐状部材の両端を上記重ね合わせ部又は枕カバー本体に固定することにより開口を形成するものとしても良い。
【００１１】
また、第４の発明（請求項４記載の発明）に係る枕カバーは、布地により内部に枕を収納する枕収納部が形成された枕カバー本体と、この枕カバー本体内に枕を収納した状態で吊下げるフック又は物干し竿に掛止される掛止部と、を備え、上記枕収納部には、枕を出し入れする収納口が、該枕収納部を形成する布地が一部重ね合わせられた状態で形成され、上記掛止部は、この重ね合わせられた内側の布地であって外側の布地により被覆される部位に形成されてなることを特徴とするものである。
【００１２】
この第４の発明の枕カバーは、枕カバー本体と、掛止部とを備えており、この枕カバー本体には内部に枕を収納する枕収納部が形成されている。この枕収納部内へは収納口を介して枕を収納できるものなっており、また、この収納口は、該収納口を形成する布地が一部重ね合わせられた状態で形成されているが、このような収納口が形成されている枕カバーは、該枕カバーの一面の中途部に収納口が形成されている上述した従来の枕カバーの収納口と構成が似たものである。しかしながら、このような収納口は枕カバーの端部に形成されていても良いものであって、この第４の発明の枕カバーでは、この布地が一部重ね合わせられた内側の布地であって外側の布地により被覆される部位に掛止部が形成されている。このため、この掛止部は外側の布地により被覆されていることから、枕カバー本体の枕収納部内に枕を収納してこの枕を睡眠時に使用する場合には、該掛止部が外部に露出しない。また、上記収納口の重ね合わせられた内側の布地上から外側の布地をめくることにより、上記掛止部を外部に露出させることができる。また、この掛止部としては、具体的には、収納口の近傍に掛止穴を形成してその周囲を縁かがり又はハトメにより補強しても良く、掛止穴を設けた布片、アクリル板、プラスチック板等を用いても良く、フック状に成形されたアクリル板やプラスチック板を用いても良い。そして、この掛止部として掛止穴を形成した場合や、掛止穴を設けた布片、アクリル板、プラスチック板等を用いる場合には、該掛止穴内にフックを掛ける等により物干し竿にこの枕を入れた枕カバーを掛けることができ、枕を内部に収納した状態で容易に干すことができる。また、上記掛止部を使用しない場合には、該掛止部を収納口の重ね合わせられた内側に隠すことができるので、この枕カバーの美観を損なうものでなく、また、使用者が睡眠時に違和感を覚えることなく熟睡を妨げるおそれが無いものとすることができる。
【発明の効果】
【００１３】
上記第１の発明（請求項１記載の発明）に係る枕カバーは、掛止部又は掛止部材により枕を枕カバー本体内に収納した状態でフック又は物干し竿に掛止させて干すことが容易にできる。また、枕を入れたこの枕カバーを干す以外の場合、例えば睡眠時に使用する場合や片付ける場合には、この掛止部又は掛止部材を重ね合わせ部内に収めることができる。このため、この掛止部又は掛止部材は外部から見えないことから、この枕カバーの美観を損なうことは無い。また、上述のように従来の枕カバーでは、掛止穴を設けた布片等や紐を吊下げ部に用いる際にこの吊下げ部が睡眠時の使用者の頭部に当接するという問題が有ったが、この掛止部又は掛止部材は重ね合わせ部内に配置されてなることから、掛止部又は掛止部材は使用者の頭部に直接当接するものではなく、重ね合わせ部を介して使用者の頭部に当接し、睡眠時に違和感を覚えて使用者の熟睡を妨げられることがなくなる。
【００１４】
上記第２の発明（請求項２記載の発明）に係る枕カバーは、より容易に掛止部材により枕を枕カバー本体内に収納した状態でフック又は物干し竿に掛止させて干すことができる。すなわち、この第２の発明に係る枕カバーでは、枕を枕カバー本体内に収納した状態でフック又は物干し竿に掛止する際には、先端を外部に露出させることができることから、より容易にこの枕カバーの掛止部材を直接物干し竿に掛止することができ、また、この掛止部材は物干し竿に掛止させやすい大きさのものとなる。また、掛止部材の不使用時には、該掛止部材を重ね合わせ部内に隠れるよう該重ね合わせ部内を移動可能に配置されてなることから、睡眠時に違和感を覚えて使用者の熟睡を妨げられることがなくなる。
【００１５】
上記第３の発明（請求項３記載の発明）に係る枕カバーは、紐状とされた掛止部材が前記重ね合わせ部内であって前記枕収納部に近い位置に固定された左リング部及び右リング部を挿通するとともに、該掛止部材の両端には該左リング部及び右リング部からの抜け止め用の抜止部が形成されている。このため、この掛止部材の中央を把持して引っ張り上記重ね合わせ部から露出させ、フックや物干し竿に掛止することが容易であるとともに、この掛止部材を該重ね合わせ部から引き出すことができる長さは、抜止部により一定の範囲内に制限され、また、この枕カバー内に枕を収納してフックや物干し竿に掛止した場合でも、該抜止部によりこの掛止した状態を維持する。また、逆にこの掛止部材を上記重ね合わせ部内に押し込むことにより、該掛止部材を容易に重ね合わせ部内に隠すこともできる。したがって、上記掛止部材を使用しない場合には、該掛止部材を重ね合わせ部内に隠すことができるので、使用者の熟睡を妨げるおそれが無いものとすることができる。
【００１６】
上記第４の発明（請求項４記載の発明）に係る枕カバーは、枕を出し入れする収納口が、枕を収納する枕収納部を形成する布地が一部重ねあわされた状態で形成されており、掛止部がこの重ね合わせられた内側の布地であって外側の布地により被覆される部位に形成されていることから、該外側の布地をめくることにより該内側の布地に形成された掛止部を露出させることができ、また、枕を枕カバー本体内に収納した状態でこの掛止部にフック又は物干し竿に掛止させて干すことが容易にできる。また、枕を入れたこの枕カバーを干す以外の場合、例えば睡眠時に使用する場合や片付ける場合には、この掛止部を上記外側の布地により被覆させることができる。このため、この掛止部は外部から見えないことから、この枕カバーの美観を損なうことは無い。また、上述のように従来の枕カバーでは、掛止穴を設けた布片等や紐を吊下げ部に用いる際にこの吊下げ部が睡眠時の使用者の頭部に当接するという問題が有ったが、この掛止部は上記外側の布地により被覆されてなることから、掛止部は該外側の布地を介して使用者の頭部に当接するものとなって、直接当接することを防ぐことができる。このため、睡眠時に違和感を覚えて使用者の熟睡を妨げられることがなくなる。
【発明を実施するための最良の形態】
【００１７】
以下、本発明を実施するための最良の形態に係る枕カバーについて図面を参照しながら詳細に説明する。
【００１８】
本発明の第１の実施の形態に係る枕カバー１は、図１ないし図４に示すような形状とされている。すなわち、この枕カバー１は、図２又は図３に示す袋状とされて内部に枕Ｐを収納する枕カバー本体１１と、この枕カバー本体１１の一端及び他端にそれぞれ固定された２枚の布片が重ね合わせられた重ね合わせ部である飾り布１３，１４，１５，１６と、上記一端に固定された２枚の飾り布１３，１４の間に配置された掛止部材である吊下げ紐１８と、この吊下げ紐１８が挿通される布地の左のリング部である２０及び右のリング部２２とから構成されている。
【００１９】
この枕カバー本体１１は、内部には枕Ｐを収納する枕収納部２４が形成されており、該枕カバー本体１１の枕収納部２４内に枕Ｐを収納することで該枕カバー本体１１は図２及び図３に示すように略直方体状に膨出される。また、上記枕カバー本体１１の外周の四辺のうち一つの短辺２６には、この短辺２６とほぼ同じ長さの飾り布１３，１４が取り付けられている。上述の通り、従来の多くの枕カバーでも端部に装飾のために布片からなる飾り布が取り付けられているが、この飾り布１３，１４は、この従来の枕カバーの端部に取り付けられている飾り布と同様な構成となっている。なお、この飾り布１３，１４は、縫い目１７の部分が縫われており袋状となっている。また、この枕カバーの飾り布としては従来からフリル状の布片を用いることが多いが、この枕カバー１の飾り布１３，１４もこの従来の枕カバーと同様に、一定間隔に山谷の折り目を入れてフリル状のものとしても良い（図示は省略する）。
【００２０】
また、上記吊下げ紐１８は、両端に本発明の抜止部である結び目３０，３１が形成され、上記短辺２６の長さよりやや短い長さとされた紐状の部材であって、上記の２枚の飾り布１３，１４の間に配置されている。そして、この吊下げ紐１８は、中途部の二箇所において上記左右のリング部２０，２２により枕カバー本体１１に取り付けられている。これら左右のリング部２０，２２は長方形状の布片であって、上記の２枚の飾り布１３，１４の間に配置されており、両端は上記枕カバー本体１１の短辺２６に固定され、環状に形成されている。このため、これら左右のリング部２０，２２は、環状の中途部が上記短辺２６より突出するものとなっており、上記吊下げ紐１８は環状となった該左右のリング部２０，２２内に挿通されるとともに、挿通後の吊下げ紐１８の両端には結び目３０，３１が形成され、左右のリング部２０，２２内を通ることができないことため、図２及び図４に示すように、この吊下げ紐１８を引き出して先端を外部に露出させられる長さが制限されている。また、上記枕カバー本体１１の短辺２６の反対側の短辺２８には、上記飾り布１５，１６が取り付けられている（図３参照）。この飾り布１５，１６は、上記飾り布１３，１４と同様に短辺２８とほぼ同じ長さのものとされており、また、図示は省略するが該飾り布１３，１４と同様にフリル状の布片を用いても良い。なお、上記枕カバー本体１１の短辺２８の部位であって、この飾り布１５，１６の間には、図３に示すように、枕Ｐを出し入れするための出し入れ口としてファスナー３３が取り付けられている。このため、このファスナー３３を開けることにより、上記枕収納部２４内に枕Ｐを収納することができる。
【００２１】
次に、この枕カバー１に枕Ｐを入れた状態で干す方法について説明する。前記枕カバー本体１１内に枕を入れた状態で干す場合には、図２に示すように、先ずこの枕カバー１の吊下げ紐１８の中途部を引き出し、該吊下げ紐１８の中途部先端側を外部に露出させる。そして、図４に示すように、この吊下げ紐１８の引き出した中途部にＳ型フックＳを掛ける。そして、このＳ型フックＳを更に物干し竿（図示は省略する。）に掛けることにより、枕Ｐを入れた状態で上記枕カバー１を干すことができる。なお、このようにこの枕カバー１を吊下げ紐１８により吊下げて干す際には、上記吊下げ紐１８の結び目３０は上記左のリング部２０の左側面に当接し、また、上記吊下げ紐１８の結び目３１は上記右のリング部２２の右側面に当接することから、該枕カバー１はこのように吊下げられた状態を維持する。なお、この図４に示すとおりＳ型フック２８を介して物干し竿に吊るしても良いが、上記吊下げ紐１８を物干し竿（図示は省略する。）に直接掛けてこの枕カバー１を吊るすものとしても良い。また、このように枕カバー１を干した後に使用者が睡眠時に使用する場合には、再度図１に示すように、この吊下げ紐１８を上記飾り布１３，１４の間の位置に隠れるように移動させて戻す。
【００２２】
このように、この枕カバー１では、枕Ｐを入れたままの状態で吊下げ紐１８で吊下げて干すことが容易にできる。また、枕Ｐを入れたこの枕カバー１を睡眠時に用いる等の場合には、この吊下げ紐１８を飾り布１３，１４の内側に隠れるように移動させて収めることができることから、該枕カバー１の美観を損なうことは無いとともに、吊下げ紐１８は、飾り布１３，１４を介して使用者の頭部に当接するので、頭部が吊下げ紐１８に直接当接することを防ぎ、このため、使用者がこの吊下げ紐１８に違和感を覚えて熟睡を妨げられることがなくなる。
【００２３】
このように、上記の枕カバー１は、上記吊下げ紐１８を上記飾り布１３，１４の内側から移動させて外部に露出させるとともに、該吊下げ紐１８が移動できる範囲を両端の結び目３０，３１と左右のリング部２０，２２により制限させ、この外部に露出させた吊下げ紐１８にＳ型フックＳを掛けることによりこの枕カバー１を干す構成となっているが、この発明の枕カバーはこの枕カバー１のような構成に限定されるものでは無い。
【００２４】
例えば、図５に示す第２の実施の形態の枕カバー４１のような構成としても良い。この枕カバー４１は、上記枕カバー１と同じ枕カバー本体１１、飾り布１３，１４、縫い目１７，１７、枕収納部２４等を備えて構成されるものである（これらの同じ構成については、枕カバー４１についての説明でも同じ符号を用いる。）が、上記第１の実施の形態に係る吊下げ紐１８及び左右のリング部２０，２２に替えて吊下げ部４２を用いたものである。この吊下げ部４２はプラスチック製の部材であって、幅が広い長方形状の板材４３の中央上端に略円形の板材４４が連続する形状とされており、また、この略円形の板材４４には掛止穴４５が開口されている。そして、この吊下げ部４２は、飾り布１３，１４内に収容されるとともに、板材４３の上端部が、縫い目１７，１７の上方部に当接して図６に示すように掛止することができるものである。なお、この吊下げ部４２は、本発明を構成する掛止部である。
【００２５】
この枕カバー４１も、上記第１の実施の形態に係る枕カバー１と同様な方法で干すことができる。すなわち、図５又は図６に示す吊下げ部４２は、上記枕カバー１の吊下げ紐１８と同様に上記飾り布１３，１４の間に配置されており、該吊下げ部４２は不使用時には図５に示すように該飾り布１３，１４の間に隠すことができる。そして、この枕カバー本体１１内に枕Ｐを入れた状態で干す場合には、図６に示すように先ず上記吊下げ部４２を引き出し、該吊下げ部４２の略円形の板材４４の部分を外部に露出させる。そして、図６に示すように、この吊下げ部４２の略円形の板材４４に形成された掛止穴４５にＳ型フックＳを掛ける。そして、このＳ型フックＳを更に物干し竿（図示は省略する。）に掛けることにより、枕Ｐを入れた状態で上記枕カバー４１を干すことができる。なお、このようにこの枕カバー４１を吊下げ部４２により吊下げて干す際には、上記吊下げ部４２の板材４３の上端は上記縫い目１７，１７の上方部に当接することから、該枕カバー４１はこのように吊下げられた状態を維持する。そして、このように枕カバー１を干した後に使用者が睡眠時に使用する場合には、再度図５に示すように、この吊下げ部４２を上記飾り布１３，１４の間の位置に隠れるように移動させて戻す。
【００２６】
このように、この枕カバー４１では、枕Ｐを入れたままの状態で吊下げ部４２で吊下げて干すことが容易にできる。また、枕Ｐを入れたこの枕カバー４１を睡眠時に用いる等の場合には、この吊下げ部４２を飾り布１３，１４の内側に隠れるように移動させて収めることができることから、該枕カバー４１の美観を損なうことは無いとともに、吊下げ部４２は、飾り布１３，１４を介して使用者の頭部に当接するので、頭部が吊下げ部４２に直接当接することを防ぎ、このため、使用者がこの吊下げ部４２に違和感を覚えて熟睡を妨げられることがなくなる。
【００２７】
また、本発明に係る枕カバーは上記の枕カバー１，４１のような構成のみに限定されるものではなく、図７に示す第３の実施の形態の枕カバー５１のような構成のものとしても良い。この枕カバー５１は、図７に示すような形状とされており、袋状とされて内部に図示しない枕を収納する枕カバー本体５２と、この枕カバー本体５２の一端に固定された２枚の布片からなる飾り布５３，５４と、この２枚の飾り布５３，５４の間に配置された吊下げ紐５５とから構成されている。
【００２８】
この枕カバー本体５２は、上記枕カバー本体１１と同様な構成であって、内部には図示しない枕を収納する枕収納部５６が形成されている。また、上記枕カバー本体５２の外周の四辺のうち一つの辺（図７に示す短辺５７）には、この短辺５７とほぼ同じ長さの飾り布５３，５４が取り付けられているが、この飾り布５３，５４は上記第１の実施の形態に係る飾り布１３，１４と同様な構成となっている。なお、この飾り布５３，５４は、左右両端近傍が縫い目５８，５８により縫われている。また、この枕カバー５１の飾り布５３，５４も上記従来の枕カバーと同様に、一定間隔に山谷の折り目を入れてフリル状のものとしても良く（図示は省略する）、また、この飾り布５３，５４は、本発明を構成する重ね合わせ部である。また、上記吊下げ紐５５は、二つ折りにされて上記短辺５７の長さよりやや短い長さとされた紐状の部材であって、左右の両端は上記縫い目５８により飾り布５３，５４に固定され、該飾り布５３，５４の間に配置されている。なお、この吊下げ紐５５は、本発明を構成する掛止部材である。
【００２９】
次に、この枕カバー５１に図示しない枕を入れた状態で干す方法について説明する。図７に示す枕カバー本体５２内に枕を入れた状態で干す場合には、先ずこの枕カバー５１の吊下げ紐５５の中途部を引き出し、該吊下げ紐５５の先端を外部に露出させる。そして、この吊下げ紐５５に図示を省略するＳ型フックを掛ける。そして、このＳ型フックを更に物干し竿（図示は省略する。）に掛けることにより、枕を入れた状態で前記枕カバー５１を干すことができる。また、このように枕カバー５１を干した後に使用者が睡眠時に使用する場合には、再度図７に示すように、この吊下げ紐５５を上記飾り布５３，５４の間の位置に隠れるように移動させて戻す。このように、この枕カバー５１でも、枕を入れたままの状態で吊下げ紐５５で吊下げて干すことが容易にできる。また、枕を入れたこの枕カバー５１を睡眠時に用いる等の場合には、この吊下げ紐５５を飾り布５３，５４の内側に隠れるように移動させて収めることができることから、該枕カバー５１の美観を損なうことは無いとともに、吊下げ紐５５は、飾り布５３，５４を介して使用者の頭部に当接するので、頭部が吊下げ紐５５に直接当接することを防ぎ、このため、使用者がこの吊下げ紐５５に違和感を覚えて熟睡を妨げられることがなくなる。
【００３０】
また、上述した枕カバー１，４１，５１は、何れも吊下げるために掛止部材である吊下げ紐１８，５５或いは吊下げ部４２を構成要素としており、これらは何れも掛止の際に枕カバー本体１１，５２に対して動かすことができるものとされているが、この発明に係る枕カバーは、このような掛止部材を備える構成に限定されるものではなく、枕カバー本体又は飾り布に対して固定された掛止部を構成要素とするものとしても良い。
【００３１】
すなわち、図８に示す第４の実施の形態の枕カバー６１のような構成のものとしても良い。この図８では、この枕カバー６１をＳ型フックＳにより吊下げた状態を示しており、この枕カバー６１は、図８に示すように、袋状とされて内部に図示しない枕を収納する枕カバー本体６２と、この枕カバー本体６２の一端に固定された２枚の布片からなる飾り布６３，６４と、この２枚の飾り布６３，６４の間に配置された吊下げ部６５とから構成されている。
【００３２】
上記枕カバー本体６２は、上記第１ないし第３の実施の形態に係る枕カバー本体１１と同様な構成であって、内部には図示しない枕を収納する枕収納部６６が形成されている。また、上記枕カバー本体６２の外周の四辺のうち一つの辺（図８に示す短辺６７）には、この短辺６７とほぼ同じ長さの飾り布６３，６４が取り付けられているが、この飾り布６３，６４は上記第１ないし第３の実施の形態に係る飾り布１３，１４と同様な構成となっている。なお、この枕カバー６１の飾り布６３，６４も上記従来の枕カバーと同様に、一定間隔に山谷の折り目を入れてフリル状のものとしても良く（図示は省略する）、また、この飾り布６３，６４は、本発明を構成する重ね合わせ部である。また、上記吊下げ部６５は、上記飾り布６３，６４の間に配置されてなる布片であって、中央には開口（符号は省略する）が形成されており、図示下端が上記短辺６７に固定され、該飾り布６３，６４の間に配置されている。そして、この吊下げ部６５には、前記開口の周囲に掛止穴６８が形成されたハトメ６９が嵌め込まれている。なお、この吊下げ部６５は、本発明を構成する掛止部材である。
【００３３】
次に、枕を入れた状態で前記枕カバー６１を干す方法について説明する。図８に示す枕カバー本体６２内に枕を入れた状態で干す場合には、先ずこの枕カバー６１の飾り布６３，６４を開いて上記吊下げ部６５を外部に露出させる。そして、この吊下げ部６５の掛止穴６８にＳ型フックＳを掛ける。そして、このＳ型フックＳを更に物干し竿（図示は省略する。）に掛けることにより、枕を入れた状態で前記枕カバー６１を干すことができる。また、このように枕カバー６１を干した後に使用者が睡眠時に使用する場合には、再度図６に示すように、この吊下げ部６５を上記飾り布６３，６４の間の位置に隠れるように戻す。このように、この枕カバー６１でも、枕を入れたままの状態で、吊下げ部６５で吊下げて干すことが容易にできる。また、枕を入れたこの枕カバー６１を睡眠時に用いる等の場合には、この吊下げ部６５を飾り布６３，６４の内側に隠れるように移動させて収めることができることから、該枕カバー６１の美観を損なうことは無いとともに、吊下げ部６５及びハトメ６９は、飾り布６３，６４を介して使用者の頭部に当接するので、頭部がハトメ６９に直接当接することを防ぎ、このため、使用者がこの吊下げ部６５に違和感を覚えて熟睡を妨げられることがなくなる。
【００３４】
また、本発明に係る枕カバーは上述した枕カバー１，４１，５１，６１のようなものに限定されるものでは無い。すなわち、これら枕カバー１，４１，５１，６１は何れも枕カバー本体の端部に形成された飾り布１３，１４，１５，１６，５３，５４，６３，６４の内に吊下げ紐１８，５５又は吊下げ部４２，６５を配置してこれを隠す構成とされているが、枕カバー本体の枕収納部内に枕を出し入れする収納口の周辺に掛止部が形成されるものとしても良い。
【００３５】
すなわち、図９に示す第５の実施の形態の枕カバー９１のような構成のものとしても良い。この枕カバー９１は、図９に示すような形状とされており、袋状とされて内部に枕Ｐを収納する枕カバー本体９２と、この枕カバー本体９２上に設けられた掛止穴９３とから構成されている。なお、この枕カバー９１は、上述した従来から用いられている枕カバーであって、一面の中途部に枕を出し入れする収納口が形成されているものと同様な構成のものである。すなわち、この枕カバー本体９２の内部は枕Ｐを収納する枕収納部９４とされており、また、この枕収納部９４に枕Ｐを入れる際には該枕カバー本体９２の一面の中途部に形成された収納口９５を介して枕Ｐを出し入れするものであって、この収納口９５は、この枕収納部９４を形成する布地が一部重ね合わせられた状態で形成されている。そして、上記掛止穴９３は、この枕収納口９５を形成する一部重ね合わせられた部分の外側の布地９６と内側の布地９７の内、この内側の布地９７上に、ハトメ９８が嵌めこまれ、このハトメ９８の中心部に形成されている。このため、この掛止穴９３は、枕収納口９５を形成する外側の布地９６により被覆される。そして、この枕カバー９１の枕カバー本体９２内の枕収納部９４内に枕Ｐを収納する場合には、この外側の布地９６をめくることにより該枕収納部９４内に枕Ｐを収納することができる。なお、上記掛止穴９３は本発明を構成する掛止部である。
【００３６】
次に、枕カバー９１に枕Ｐを入れた状態で干す方法について説明する。図９に示す枕カバー本体９２内に枕を入れた状態で干す場合には、先ずこの枕カバー９１の枕カバー本体９２の外側の布地９６をめくって上記掛止穴９３を外部に露出させる。そして、図１０に示すように、この掛止穴９３にＳ型フックＳを掛ける。そして、このＳ型フックＳを更に物干し竿（図示は省略する。）に掛けることにより、この枕カバー９１を枕を入れた状態で干すことができる。なお、このようにＳ型フックＳを掛止穴９３に掛けた場合には、上記外側の布地９６が該Ｓ型フックＳによりめくられた状態となっている。また、このように枕カバー６１を干した後に使用者が睡眠時に使用する場合には、再度図９に示すように、めくられていた上記外側の布地９６により掛止穴９３を被覆させ、該掛止穴９３が該外側の布地９６により隠れるように戻す。このように、この枕カバー９１によれば、枕Ｐを入れたままの状態で掛止穴９３によりＳ型フックＳで吊下げて干すことが容易にできる。また、枕Ｐを入れたこの枕カバー９１を睡眠時に用いる等の場合には、上記掛止穴９３は上記外側の布地９６により被覆されることから、該枕カバー６１の美観を損なうことは無いとともに、ハトメ９８は、外側の布地９６を介して使用者の頭部に当接するので、頭部がハトメ９８に直接当接することを防ぎ、このため、使用者がこのハトメ９８に違和感を覚えて熟睡を妨げられることがなくなる。
【図面の簡単な説明】
【００３７】
【図１】本発明の第１の実施の形態に係る枕カバーを示す平面図である。
【図２】図１に示す枕カバーの斜視図である。
【図３】図２に示す枕カバーのリング部の断面図である。
【図４】図１ないし図３に示す枕カバーの使用の状態を示す部分平面図である。
【図５】本発明の第２の実施の形態に係る枕カバーを示す部分平面図である。
【図６】図５に示す枕カバーの使用の状態を示す部分平面図である。
【図７】本発明の第３の実施の形態に係る枕カバーを示す部分平面図である。
【図８】本発明の第４の実施の形態に係る枕カバーの使用の状態を示す部分平面図である。
【図９】本発明の第５の実施の形態に係る枕カバーを示す平面図である。
【図１０】図９に示す枕カバーの使用の状態を示す部分平面図である。
【符号の説明】
【００３８】
１  枕カバー
１１  枕カバー本体
１３，１４，１５，１６  飾り布
１８  吊下げ紐
２０，２２  リング部
２４  枕収納部
３０，３１  結び目
４１  枕カバー
４２  吊下げ部
４５  掛止穴
５１  枕カバー
５２  枕カバー本体
５３，５４  飾り布
５５  吊下げ紐
５６  枕収納部
６１  枕カバー
６２  枕カバー本体
６３，６４  飾り布
６５  吊下げ部
６６  枕収納部
６８  掛止穴
９１  枕カバー
９２  枕カバー本体
９３  掛止穴
９４  枕収納部
９５  収納口
９６  外側の布地
９７  内側の布地
Ｐ  枕
Ｓ  Ｓ型フック
【図１】
0004746635.tif 000002
【図２】
0004746635.tif 000003
【図３】
0004746635.tif 000004
【図４】
0004746635.tif 000005
【図５】
0004746635.tif 000006
【図６】
0004746635.tif 000007
【図７】
0004746635.tif 000008
【図８】
0004746635.tif 000009
【図９】
0004746635.tif 000010
【図１０】
0004746635.tif 000011